(57)【要約】【課題】本発明の目的は、従来の短所を回避した生物学的細胞の同定および計数のための試薬を提供することである。【解決手段】本発明はサンプル中の生物学的細胞を同定および計数するための試薬および方法に関する。試薬はサンプル中の規定の型の細胞を特異的に溶解することができる濃度の少なくとも１つのデタージェントから選択される細胞溶解剤、および残りの未溶解細胞の細胞内核酸をマークできる色素を含む。とりわけフローサイトメトリーに基づいた自動分析系を用いて細胞を同定および計数するために用いる。【選択図】図１
2008256713.tif 000002
【特許請求の範囲】
【請求項１】
以下の操作からなるサンプル中（血液サンプル中を含む）の生物学的細胞を同定および計数する方法であって、
サンプルをサンプル中の有核の生物学的細胞を同定し計数するための試薬と混合し、インキュベートする操作において、
赤血球を溶解するのに適した濃度の少なくとも１つのイオン性および／または非イオン性デタージェントから選択される細胞溶解剤と、残りの未溶解細胞の細胞内核酸をマークするように設計された色素とを含み、
規定の型の細胞（赤血球を含む）の溶解、細胞内核酸の染色、および有核細胞の固定を単一の段階で行うことを特徴とし、
抵抗性容量、軸方向の発光回折、軸方向の発光透過、軸方向発光移入、および蛍光から選択される少なくとも２つの測定パラメーターを用いてフローサイトメトリーにより得られた溶液を測定し、並びに、
測定したパラメーターにより集団における有核細胞を分類および計数すること、
からなることを特徴とする方法。
【請求項２】
前記デタージェントが、
１級アミン、アミン酢酸塩および塩酸塩、４級アンモニウム塩、並びに臭化トリメチルエチルアンモニウム、
ジアミン置換アミド、ジエタノールアミノプロピルアミンまたはジエチルアミノプロピルアミド、環式ジエチレントリアミンのアミド、
スルホン酸アルキルアリル、石油スルホン酸、スルホン酸グリセリド、
コラミド、スルホベタイン、
アルキルグリコシド、サポニン、
ポリオキシエチレンエーテルおよびソルビタン、ポリグリコールエーテル、
からなるグループから選択されることを特徴とする請求項１に記載の方法。
【請求項３】
前記色素が蛍光型色素であることを特徴とする請求項１又は２に記載の方法。
【請求項４】
前記色素が細胞内リボ核酸と特異的に結合でき、一度リボ核酸と結合するとその蛍光を増強させることができることを特徴とする請求項３に記載の方法。
【請求項５】
前記色素が、
チアゾールオレンジまたはｐ−トシル化１−メチル−４−［（３−メチル−２−（３Ｈ）−ベンゾチアゾリルイデン）メチル］キノリニウム、
チアゾールブルー、
二ヨウ化４−［（３−メチル−２−（３Ｈ）−ベンゾチアゾリルイデン）メチル］−１［３−（トリメチルアンモニウム）プロピル］キノリニウム、
ヨウ化３，３’−ジメチルオキサカルボシアニンまたはヨウ化３−メチル−２−［３−（３−メチル−２（３Ｈ）−ベンゾチアゾリルイデン−１−プロペニル］ベンゾキサゾリウム、
チオフラビンＴ、
ＳＹＴＯ（登録商標）およびＴＯＴＯ（登録商標）色素（ＭｏｌｅｃｕｌａｒＰｒｏｂｅｓ（商標））、
臭化エチジウム、
ヨウ化プロピジウム、
アクリジンオレンジ、
コリホスフィン Ｏ、
アウラミン Ｏ、
ＨＯＥＣＨＳＴ ３３２５８およびＨＯＥＣＨＳＴ３３３４２色素、
二塩酸４’，６−ジアミノ−２−フェニルインドール（ＤＡＰＩ）、
二塩酸４’，６−（ジイミダゾリン−２−イル）−２−フェニルインドール（ＤＩＰＩ）、
７−アミノアクチノマイシン Ｄ、
アクチノマイシン Ｄ、および
ＬＤＳ ７５１、
からなるグループから選択されることを特徴とする請求項１〜４のいずれか１項に記載の方法。
【請求項６】
色素が細胞へ浸透することを促進してマークさせることができる少なくとも１つの膜浸透物質をさらに含むことを特徴とする請求項１〜５のいずれか１項に記載の方法。
【請求項７】
膜浸透を促進する前記物質がプロトノフォアおよび／または抗生物質型のイオノフォア化合物であることを特徴とする請求項６に記載の方法。
【請求項８】
０．１（重量／容量）％ないし１０（重量／容量）％の濃度で存在する少なくとも１つの膜固定剤をさらに含むことを特徴とする請求項１〜７のいずれか１項に記載の方法。
【請求項９】
前記膜固定剤がパラホルムアルデヒドおよびグルタルアルデヒドから選択される少なくとも１つのアルコールおよび／またはアルデヒドを含むことを特徴とする請求項８に記載の方法。
【請求項１０】
前記試薬が錯化剤、無機塩およびバッファー系から選択される少なくとも１つの化合物をさらに含むことを特徴とする請求項１〜９のいずれか１項に記載の方法。
【請求項１１】
前記抵抗性の測定が直流電流およびパルス化すなわち交流電流から選択される少なくとも１つの電流により実施されることを特徴とする請求項１〜１０のいずれか１項に記載の方法。
【請求項１２】
前記軸方向発光回析パラメーターが小角度回析および大角度回析から選択される少なくとも１つのパラメーターであることを特徴とする請求項１〜１１のいずれか１項に記載の方法。
【請求項１３】
前記分類された有核細胞が成熟したものであるかまたは未成熟なものであり、正常細胞であるかまたは異常細胞であることを特徴とする請求項１〜１２のいずれか１項に記載の方法。
【請求項１４】
有核細胞の分類がソフトウェアまたはその他のニューロン技術を用いるまたは用いない多次元分析ソフトウェアプログラムにより実施されることを特徴とする請求項１〜１３のいずれか１項に記載の方法。
【請求項１５】
前記サンプルがヒトまたは動物の血液のサンプルであることを特徴とする請求項１〜１４のいずれか１項に記載の方法。
【請求項１６】
前記サンプルがヒトまたは動物起源の細胞の生物学的液体または懸濁液のサンプルであることを特徴とする請求項１〜１５のいずれか１項に記載の方法。
【発明の詳細な説明】
【技術分野】
【０００１】
本発明は生物学的分析、とりわけ血液分析に関する。
【０００２】
本発明はより具体的にはサンプル、とりわけ血液サンプル中の生物学的細胞の同定および計数のための試薬および方法に関する。
【背景技術】
【０００３】
生物学的サンプルはヒトまたは動物の血液でよく、またはその他の生物学的液体または生物学的調製物でもよい。
【０００４】
生物学的分析の分野では、診断時における異なる細胞集団の確定および正確な計数の重要性が長期にわたって認識されている。実際に、血中の正常な細胞集団間の平衡比率の異常の発現は特定の医学的症状の発現、例えば免疫反応、炎症反応等と相関し得る。同様に異常細胞集団の発現はまたその他の症状、例えば白血病等の発現とも相関し得る。
【０００５】
細胞学的分析には染色後、および必要な場合には、沈降または凝集後の顕微鏡的検査など種々の慣用される方法がある。血液細胞の自動測定は１９６０年代の初頭、主要な正常白血球集団の分離で始まった（非特許文献１参照）。
【０００６】
細胞の光学および化学的特性などの種々の原理を利用するフローサイトメトリーにより白血球の分離を実施した。種々の技術、例えば容量を確定するためのＣｏｕｌｔｅｒの原理、大きさを推定するための回析光の測定、細胞の内部構造を確定するための９０°における拡散光の測定、および種々の色素に対する細胞の親和性を確定するための蛍光または吸収の測定を用いて、いくつかの自動血液分析が生み出された（非特許文献２〜５参照）。
【０００７】
細胞サイクルの初期段階における細胞の特徴づけは、長い間科学者の興味の的であり、各細胞のＲＮＡ含量の定量は長い間このサイクルの代表的なパラメーターとして認識されていた（非特許文献２〜５および６、７参照）。
【０００８】
特許文献１では、出願者はこの型の分析の実施を可能にする組成物、より具体的には染色試薬についてすでに記載している。
【０００９】
かかる技術を自動化するために、まず第一に種々の問題を解決すべきであり、とりわけ処理時間およびサンプル調製のためのコストを削減すべきである。かかる削減は種々の方法により達成でき、最も明解であるのはチャネル数を削減して、いかなる時でも一度に１つの調製のみが実行されるようにすることである。この型の技術はＬｅｏｎ  Ｗ．Ｔｅｒｓｔａｐｐｅｎ（非特許文献４）によりすでに報告されているが、とりわけ、その数がしばしば赤血球数のよりも千倍少ない有核細胞の正確な計数のために長時間の処理および分析が必要となる。
【００１０】
この難点を回避するために生物学的サンプルをしばしば少なくとも２つのアリコート部分に分離し、その１つを赤血球および血小板の研究が可能な特定の濃度で調製し、もう１つを有核細胞の分析用の高濃度に調製する。
【非特許文献１】Ｈａｌｌｅｒｍａｎ  Ｌ．，Ｔｈｏｍ  Ｒ．，Ｇｅｒｈａｒｔｓ  Ｈ．，「Ｅｌｅｃｋｔｒｏｎｉｓｃｈｅ  Ｄｉｆｆｅｒｅｎｔｉａｌｚａｈｌｚｕｎｇ  ｖｏｎ  Ｇｒａｎｕｌｏｃｙｔｅｎ  ｕｎｄ  Ｌｙｍｐｈｏｃｙｔｅｎ  ｎａｃｈ  ｉｎｔｅｒｖａｌｅｒ  Ｆｌｕｏｃｈｒｏｍｉｅｒｕｎｇ  ｍｉｔ  Ａｃｒｉｄｉｎｏｒａｎｇｅ」（「アクリジンオレンジでの周期蛍光色素染色による顆粒球およびリンパ球の電気的分別計数」）、Ｖｅｒｈ  Ｄｅｕｔｓｃｈ  Ｇｅｓ  Ｉｎｎ  Ｍｅｄ，７０：２１７（１９６４）
【非特許文献２】Ａｄａｍｓ  Ｌ．Ｒ．，Ｋａｍｅｎｓｋｙ  Ｌ．Ａ．，「ヒト白血球の６つのクラスの蛍光分析による特徴づけ」、Ａｃｔａ  Ｃｙｔｏｌ，１８：３８９（１９７４）
【非特許文献３】Ｓｈａｐｉｒｏ  Ｈ．Ｍ．ら、「蛍光色素並びにフロー測定を用いた血液細胞計数および分類」、Ｊ．Ｈｉｓｔｏｃｈｅｍ  Ｃｙｔｏｃｈｅｍ，２４：３９６−４１１（１９７６）
【非特許文献４】Ｔｅｒｓｔａｐｐｅｎ  Ｌ．Ｗ．ら、「赤血球溶解を起こさない多次元フローサイトメトリー血液細胞分別」、Ｂｌｏｏｄ  Ｃｅｌｌｓ，１７；５８５−６０２（１９９１）
【非特許文献５】Ｔｅｒｓｔａｐｐｅｎ  Ｌ．Ｗ．，Ｌｅｖｉｎ  Ｊ．「多次元フローサイトメトリーにより得られた骨髄細胞分別計数」、Ｂｌｏｏｄ  Ｃｅｌｌｓ，１８（２）；３１１−３３０（１９９２）
【非特許文献６】Ｔｒａｇａｎｏｓ  Ｆ．，Ｄａｒｚｙｎｋｉｅｗｉｃｚ  Ｚ．，Ｓｈａｒｐｌｅｓｓ  Ｔ．，Ｍｅｌａｍｅｄ  Ｍ．Ｒ．，「蛍光フローサイトメトリーシステムにおけるアクリジンオレンジを用いた未固定細胞のリボ核酸およびデオキシリボ核酸の同時染色」、Ｊ．Ｈｉｓｔｏｃｈｅｍ  Ｃｙｔｏｃｈｅｍ，２５：４６（１９７７）
【非特許文献７】Ｐｏｌｌａｃｋ  Ａ．ら、「ピロニンＹおよびメチルグリーンを用いた、異なる細胞集団におけるＲＮＡ含量のフローサイトメトリー分析」、Ｃｙｔｏｍｅｔｒｙ，Ｖｏｌ.  ３,  Ｎｏ.１：２８−３５（１９８２）
【特許文献１】１９９７年１月３１日付けフランス特許第９７  ０１０９０号
【発明の開示】
【発明が解決しようとする課題】
【００１１】
これらの公知の技術には様々な短所がある。
【００１２】
残りの細胞の測定を容易にするために、分析の前にこのアリコート部分を処理することによりしばしば赤血球を特異的に破壊させる。かかる方法により測定結果がより迅速に得られるようになるが、それにもかかわらず、望ましい調製物を得るための反応、移動および染色に関与する時間とで相殺されてしまう。
【００１３】
試薬溶液中での細胞懸濁液のインキュベーション時間はとりわけ活性成分が細胞内部に浸透するのに必要な時間と関係がある。本明細書に前記するフランス特許第９７  ０１０９０号では出願者は添加物、とりわけイオノフォア型添加物を使用して細胞浸透を補助するなど、この浸透を促進する方法について記載している。
【００１４】
処理時間はアリコート部分が通過する連続した段階の数の関数でもある。細胞溶解および染色をしばしば２つの連続した段階で、ある順序でまたは別の順序で実施する（米国特許第６００４８１６号を参照のこと）。
【００１５】
これらの２つの希釈段階では素材に経費が少なからずかかり、最低処理時間が長くなる。
【００１６】
従って本発明の目的は、前記の短所を回避した生物学的細胞の同定および計数のための試薬を提供することである。
【００１７】
本発明の目的はとりわけ、特定の細胞、特に赤血球の溶解、有核細胞の固定および細胞内物質の染色を同時に実施することを可能にするような試薬を提供することである。
【００１８】
本発明の目的はまた、分析の経費および時間並びに関係する試薬数を大幅に削減するために、便宜的に短時間でこれらの操作を実施することを可能にするような試薬を提供することでもある。
【課題を解決するための手段】
【００１９】
従って、本発明はサンプル中の有核の生物学的細胞の同定および計数のための方法を提供することであって、該方法は、サンプル中の規定の型の細胞を特異的に溶解するのに十分な濃度の、少なくとも１つのデタージェントから選択される細胞溶解剤、および残りの未溶解細胞の細胞内核酸をマークするように設計された色素を使用する。
【００２０】
このように本発明は生物学的サンプルを同時に溶解および染色し、例えばフローサイトメトリーシステムにより分析され得る単一の段階で細胞の溶液を得ることが可能になる方法を提供する。この分析により、このように処理した細胞を分類および計数することが可能になる。
【００２１】
従って、本発明の方法はフランス特許第９７  ０１０９０号で記載される型の試薬溶液と、サンプルの規定の型の細胞、とりわけ赤血球を特異的に溶解することができる細胞溶解剤とを組み合わせたものを使用する。
【００２２】
フランス特許第９７  ０１０９０号で記載された染色試薬溶液それ自体は、続くサンプルの生物学的細胞の染色のために、膜浸透を促進することができるものである。研究する細胞の型に依存して、赤血球の溶解の前および後でこの染色溶液を使用することができる。この染色溶液の試薬の本質はこのように保持され、溶解溶液に導入されることにより、赤血球を破壊し、残りの細胞を染色した後、計数することを可能にする。
【００２３】
有利には、細胞溶解剤は少なくとも１つのイオン性および／または非イオン性デタージェントを赤血球を溶解できる濃度で含有する。
【００２４】
有利には、本発明のデタージェントは、
１級アミン、アミン酢酸塩および塩酸塩、４級アンモニウム塩、並びに臭化トリメチルエチルアンモニウム、
ジアミン置換アミド、ジエタノールアミノプロピルアミンまたはジエチルアミノプロピルアミド、環式ジエチレントリアミンのアミド、
スルホン酸アルキルアリル、石油スルホン酸、スルホン酸グリセリド
コラミド、スルホベタイン、
アルキルグリコシド、サポニン、
ポリオキシエチレンエーテルおよびソルビタン、ポリグリコールエーテル、
から選択される。
【００２５】
１つの実施形態では、このデタージェントは０．０５（ｗ／ｖ）％濃度のＴｒｉｔｏｎ  Ｘ１００および０．０００１（ｖ／ｖ）％濃度のＴｗｅｅｎ  ２０の混合物を含む。
【００２６】
本明細書において「ｗ／ｖ」なる表現は「重量／容量」を表し、「ｖ／ｖ」なる表現は「容量／容量」を表す。
【００２７】
使用する色素は蛍光型色素であることが有利である。
【００２８】
有利には、色素を細胞内リボ核酸と特異的に結合でき、それと一度結合するとその蛍光が増強されるものから選択する。
【００２９】
本発明では色素をとりわけ以下の色素から選択できる。
【００３０】
チアゾールオレンジまたはｐ−トシル化１−メチル−４−［（３−メチル−２−（３Ｈ）−ベンゾチアゾリルイデン）メチル］キノリニウム、
チアゾールブルー、
二ヨウ化４−［（３−メチル−２−（３Ｈ）−ベンゾチアゾリルイデン）メチル］−１−［３−（トリメチルアンモニウム）プロピル］キノリニウム、
ヨウ化３，３’−ジメチルオキサカルボシアニンまたはヨウ化３−メチル−２−［３−（３−メチル−２（３Ｈ）−ベンゾチアゾリルイデン−１−プロペニル］ベンゾキサゾリウム、
チオフラビンＴ、
ＳＹＴＯ（登録商標）およびＴＯＴＯ（登録商標）色素（Ｍｏｌｅｃｕｌａｒ  Ｐｒｏｂｅｓ（商標））、
臭化エチジウム、
ヨウ化プロピジウム、
アクリジンオレンジ、
コリホスフィン  Ｏ、
アウラミン  Ｏ、
ＨＯＥＣＨＳＴ  ３３２５８およびＨＯＥＣＨＳＴ  ３３３４２色素、
二塩酸４’，６−ジアミノ−２−フェニルインドール（ＤＡＰＩ）、
二塩酸４’，６−（ジイミダゾリン−２−イル）−２−フェニルインドール（ＤＩＰＩ）、
７−アミノアクチノマイシン  Ｄ、
アクチノマイシン  Ｄ、および
ＬＤＳ  ７５１。
【００３１】
本発明の好ましい実施形態では、試薬はさらに、色素の細胞内への浸透を促進させてマークさせることができる少なくとも１つの膜浸透物質を含む。
【００３２】
有利には、膜浸透を促進する物質はプロトノフォアおよび／または抗生物質型のイオノフォア化合物である。
【００３３】
この物質は一般に０．００５（ｗ／ｖ）％以下の濃度で存在する。使用できる抗生物質の例としてはバリノマイシンがある。
【００３４】
試薬がさらに０．１（ｗ／ｖ）％ないし１０（ｗ／ｖ）％の濃度で存在する少なくとも１つの膜固定剤を含むことが好ましい。この固定剤は少なくとも１つのアルコールおよび／または１つのアルデヒドを含むのが好ましい。この目的で例えばパラホルムアルデヒドまたはグルタルアルデヒドを使用するのが好ましい。
【００３５】
試薬にその他の添加物または成分を含有することもまた本発明の範囲内において可能である。
【００３６】
従ってこの試薬はまた錯化剤、無機塩およびバッファー系から選択される少なくとも１つの化合物を含むこともできる。
【００３７】
別の態様によれば、本発明はサンプル中、とりわけ血液サンプル中の有核の生物学的細胞の同定および計数の方法に関し、この方法は以下の操作からなる。
【００３８】
サンプルを前記で定義する試薬と混合し、インキュベートして、単一の段階で規定の型の細胞、とりわけ赤血球の溶解、細胞内核酸の染色、および有核細胞の固定を行うこと、
抵抗性容量、軸方向の発光回析、軸方向の発光透過、垂直方向発光移入、および蛍光から選択される少なくとも２つの測定パラメーターを用いて、得られた溶液をフローサイトメトリーにより測定すること、並びに
測定したパラメーターにより集団における有核細胞を分類および計数すること。
【００３９】
フローサイトメトリー測定では、軸方向発光回析パラメーターは小角度回析および大角度回析から選択される少なくとも１つのパラメーターである。
【００４０】
慣用されるパラメーター、例えば軸方向回析すなわち「ＦＳＣ」（前方向散乱）、垂直方向拡散すなわち「ＳＳＣ」（側方向散乱）、および垂直方向蛍光（ＦＬ１）、軸方向蛍光、エピ蛍光のいずれかを有するフローサイトメーターにより測定を実施でき、概パラメーターは全て極性化または脱極性化されており、さらに別の測定パラメーターとしては、１９８９年１０月２７日のフランス特許第８９  １４１２０号に記載される、例えば透過光測定または抵抗性容量などがある。
【００４１】
直流電流により抵抗性を測定し、エレメントの容量を表現でき、および／またはパルス化すなわち交流電流により、内部密度の差異を表現でき、構造の確定に近づくことができる。
【００４２】
これらのパラメーターを用いることで、分析された細胞の各々に関する複数のパラメーターデータのセットを得ることができ、これにより細胞を分類することが可能になる。細胞を規定するパラメーターがより相関的であり非常に多くなるほど分類が正確になる。この型の複数のパラメーター実験はすでに以前に報告されている（前記の非特許文献４および５を参照のこと）。
【００４３】
本発明の範囲内で分類された有核細胞は成熟したものでも未成熟なものでもよく、または正常細胞でも異常細胞でもよい。
【００４４】
有核細胞の分類は公知の方法により実施される。ソフトウェアまたはその他のニューロン技術を用いて、または用いずに、多次元分析ソフトウェアプログラムにより分類を実施できる。
【００４５】
本発明の範囲では、生物学的サンプルはヒトもしくは動物血液のサンプルでよく、またはヒトもしくは動物起源の細胞の生物学的液体もしくは懸濁液のサンプルでもよい。
【００４６】
このサンプルを特定の温度条件下にて試薬溶液と混合する。反応速度論では、赤血球がまず最初に破壊され、色素の浸透が細胞の固定の並行して行われ、これがより緩徐に起こるとしている。
【発明を実施するための最良の形態】
【００４７】
本発明はここで以下の実施例を参考として記載する。
【実施例】
【００４８】
この実施例の範囲内で使用する試薬は以下の組成を有する。
【００４９】
錯化剤          ＥＤＴＡ                ０．０２％        （ｗ／ｖ）
無機塩          ＮａＣｌ                ０．８５％        （ｗ／ｖ）
バッファー系    リン酸塩                ０．５％          （ｗ／ｖ）
デタージェント  Ｔｒｉｔｏｎ  Ｘ１００  ０．０５％        （ｗ／ｖ）
Ｔｗｅｅｎ  ２０        ０．０００１％    （ｖ／ｖ）
イオノフォア    バリノマイシン          ０．００３％      （ｗ／ｖ）
色素            チアゾールオレンジ      ０．００５％      （ｗ／ｖ）
アルデヒド      パラホルムアルデヒド    １％              （ｗ／ｖ）
全血液サンプルを前記の試薬溶液と混合する。数秒間（典型的には１５ないし３０秒のオーダー）インキュベートした後、少なくとも以下のパラメーターを含むフローサイトメトリー系により溶液を分析する。すなわち、大きさの解釈を提示する軸方向回析「ＦＳＣ」、観察したエレメントの構造を表現する垂直方向拡散「ＳＳＣ」、および測定すべき細胞内リボ核酸の表現を可能にする垂直方向蛍光（ＦＬ１）。
【００５０】
このように得られた結果を多次元モードで観察し、各パラメーター間の種々の集団の相互関係を確定する。
【００５１】
ここで正常なヒト血液で得られた結果を示す図１ないし４を参考とする。
【００５２】
図１は２つのパラメーター、軸方向回析「ＦＳＣ」および垂直方向拡散「ＳＳＣ」により得られたマトリックスを示す。４つの異なる集団が明らかに認められる。Ｌはリンパ球を示し、Ｍは単球を示し、Ｎは多核好中球を示し、およびＥは多核好酸球を示す。未成熟顆粒球のＩＧ集団、未分化胚芽細胞のＢＬ、多核好塩基球のＢおよび赤芽球のＥｒＢが示されているが、２次元だけでは分別できない。
【００５３】
図２は軸方向回析（ＦＳＣ）および蛍光（ＦＬ１）パラメーターにより形成されたマトリックスを示す。図１に示すように同一の４つの集団が認められるが、異なって配置されている。単核細胞ＬおよびＭは平均的な蛍光の上位群を成し、多核白血球Ｎ、ＥおよびＢは弱い蛍光の下位群を成す。赤芽球のＥｒＢ集団は２群の頂点で明らかに分かれ、形成されている。ＢＬおよびＩＧ集団の正常な位置が示される。
【００５４】
図３は垂直方向拡散（ＳＳＣ）および蛍光（ＦＬ１）パラメーターにより形成されたマトリックスを示す。同一の集団が異なる方法で作られることが見出されるが、ＩＧおよびＢＬ集団を単離することが可能である（正常なサンプル中で極少量）。
【００５５】
図４は得られた集団の３次元表示を示す。
【００５６】
図５ないし８は各々図１ないし４の結果と同一の型であることを示しているが、芽細胞（ＢＬ）を含有するサンプルで得られ、本発明に従って処理されたものである。
【００５７】
図９ないし１２は各々図１ないし４と同一の型の結果であることを示しているが、未成熟顆粒球（ＩＧ）を含有するサンプルで得られ、本発明に従って処理されたものである。
【００５８】
このように本発明の試薬および方法により、サンプル中、とりわけヒトまたは動物の血液のサンプル中の生物学的細胞の特異的溶解および同時染色を単一の段階で実施することが可能になる。
【００５９】
従ってフローサイトメトリーに基づく自動分析系を用いて細胞を迅速に同定および計数できる。
【図面の簡単な説明】
【００６０】
【図１】２つのパラメーター、軸方向回析（ＦＳＣ）および垂直方向拡散（ＳＳＣ）により得られたマトリックスを示す図である。
【図２】軸方向回析（ＦＳＣ）および蛍光（ＦＬ１）パラメーターにより形成されたマトリックスを示す図である。
【図３】垂直方向拡散（ＳＳＣ）および蛍光（ＦＬ１）パラメーターにより形成されたマトリックスを示す図である。
【図４】得られた集団の３次元表示を示す図である。
【図５】軸方向回析（ＦＳＣ−Ｈ）および垂直方向拡散（ＳＳＣ−Ｈ）により得られたマトリックスを示す図である。
【図６】軸方向回析（ＦＳＣ−Ｈ）および蛍光（ＦＬ１−Ｈｅｉｇｈｔ）により得られたマトリックスを示す図である。
【図７】垂直方向拡散（ＳＳＣ−Ｈ）および蛍光（ＦＬ１−Ｈｅｉｇｈｔ）により形成されたマトリックスを示す図である。
【図８】得られた集団の３次元表示を示す図である。
【図９】軸方向回析（ＦＳＣ−Ｈ）および垂直方向拡散（ＳＳＣ−Ｈ）により得られたマトリックスを示す図である。
【図１０】軸方向回析（ＦＳＣ−Ｈ）および蛍光（ＦＬ１−Ｈｅｉｇｈｔ）により得られたマトリックスを示す図である。
【図１１】垂直方向拡散（ＳＳＣ−Ｈ）および蛍光（ＦＬ１−Ｈｅｉｇｈｔ）により形成されたマトリックスを示す図である。
【図１２】得られた集団の３次元表示を示す図である。
【図１】
2008256713.tif 000003
【図２】
2008256713.tif 000004
【図３】
2008256713.tif 000005
【図４】
2008256713.tif 000006
【図５】
2008256713.tif 000007
【図６】
2008256713.tif 000008
【図７】
2008256713.tif 000009
【図８】
2008256713.tif 000010
【図９】
2008256713.tif 000011
【図１０】
2008256713.tif 000012
【図１１】
2008256713.tif 000013
【図１２】
2008256713.tif 000014